(57)【要約】  本発明は、着用部分（口ゴム部）がストッキング上部分に設けられ、レース形状に形成され、スパンデックスが選択的に該レースに混紡され、それによってストッキングを脱いだ場合に着用跡が残ることがなく、 規則的な模様を有するシリコン部材が、該着用部分（口ゴム部）の内側または該着用部分（口ゴム部）下の内側に取付可能であり、それによって着用後に着用跡が残ることがなく、強力な摩擦力によって該上部分が巻き下がったり、滑り落ちることを防止することを特徴とする着用跡が付かないストッキングを提供する。
2007520640.tif 000002
【特許請求の範囲】
【請求項１】
下記を具備する着用跡が付かないストッキング。糸とスパンデックスが一定の割合で混紡されているメッシュ。別設のベルト部分なしに該メッシュ上部分に設けられ、着用後に着用跡を残さないために糸でできており、そして複数のメッシュ穴がレース状に形成されている着用部分（口ゴム部）。
【請求項２】
請求項１に記載の着用跡が付かないストッキングであって、その片側面が該着用部分下のメッシュ内側に取り付けられ、他側面が皮膚に張り付くことによって、該上部分が自重や伸縮のために滑り落ちることを防止するシリコン部材をさらに具備する着用跡が付かないストッキング。
【請求項３】
請求項１に記載の着用跡が付かないストッキングであって、該シリコン部材が所定空間により分離されているか、または螺旋形などの規則的な模様を有するように形成されることによって着用後にストッキングを脱いだ際に美しい着用跡を残す着用部分（口ゴム部）下の該メッシュの内側に取り付けられる着用跡が付かないストッキング。
【発明の詳細な説明】
【技術分野】
【０００１】
本発明は、着用跡が付かないストッキングに関するものであって、より具体的には、メッシュ上部分に設けられる着用部分（口ゴム部）が別設のベルト部分なしに形成されることにより着用跡が残ることがなく、 規則的な模様を有するシリコン部材が該着用部分（口ゴム部）の内側に取り付けられることにより、該上部分が着用中に滑り落ちることが防止されることを特徴とする、着用跡が付かないストッキングに関するものである。
【背景技術】
【０００２】
一般に、ナイロン糸でできたストッキングは脚線美を維持し、かつ体温を暖かく保つために広く市場に流通している。 かかるストッキングは、その形状と長さに従ってパンティーストッキング、ベルトストッキング、パンタロンストッキングなどのさまざまな種類のストッキングに分類されている。
【０００３】
該パンティーストッキングでは、その上部形状がパンティー形状と同一であり、それによって該ストッキングがウエスト部分から滑り落ちることが防止される。しかし、第１図に示すように、その他の種類のストッキングには、その上部分が大腿部内側の肌にあたり、大腿部から膝にかけての形状が逆テーパー形状になっているため、どうしてもストッキングが滑り落ちてしまうという問題がある。
【０００４】
従って、最近では、別設のストラップを用いてパンティーを一般ストッキングの上部分に結び付けるというストッキングがパンティーと共に販売されている。しかし、かかるパンティーとストッキングには、その価格が高くなるという問題があり、経済的でないばかりか、該別設のストラップによりパンティーとストッキングが結び付けられているので動作上の不都合があり、美観も損なわれる。さらに、一般ストッキングには、該ストッキングの紐が長時間の着用後にスナップしなくなった場合でさえも、上部分が滑り落ちること防止するために設けられるストッキングベルト２０が緩んで、ストッキングが容易に滑り落ちてしまうという問題がある。
【０００５】
よって、当該問題を解決するため、本出願人は以前に「滑り落ち防止用のストッキング」と題する発明の特許申請を出願している。以下に、該「滑り落ち防止用のストッキング」を第１図を参照して詳細に説明する。
【０００６】
図１を参照すると、従来技術に係る滑り落ち防止用のストッキング２は、該ストッキング２の上部分に設けられる該ストッキングベルト４の所定の内部分における巻き下がり防止用の部材８を有することによってストッキングベルト４が縦方向に巻き下がったり滑り落ちることを防止するために発明されたものである。
【０００７】
滑り落ち防止用の該ストッキング２の巻き下がり防止用の該部材８は、好ましくは巻き下がり防止用の該部材８が該ストッキングベルト４の所定の下部分に挟入されて縫製されるという状態で、優れた伸縮強度を有する補助ベルトを挟入することができるので、該上部分に残された該ストッキングの上部予備部分としての折り曲げ部分６は一回折り曲げられ、該ストッキングベルト４が覆われることによって滑り落ちがより堅固に防止される。
【０００８】
しかし、上記のように、滑り落ち防止用の該ストッキング２には、巻き下がり防止用の該部材８（ストッキングの滑り落ちを防止するために挿入される部材）は、両面粘着テープによって該ストッキング上部分も張り付けられるので、該ストッキング２が人体に装着される場合、該ストッキング上部分２の該ストッキングベルト４は拡大され、そのために巻き下がりを防止するための該部材８（該ストッキングベルト４に取り付けられる部材）は容易に分離されてしまうという問題がある。
【０００９】
さらに、滑り落ち防止用の該ストッキング２には、巻き下がり防止用の部材８は自己支持強度を有する部材でできているので、それ自体の巻き下がりを防止するための該部材８の伸縮強度が、該ストッキングベルト４の側方伸縮強度よりも小さく、それによって該ストッキングベルト４の伸縮強度に対する妨害因子となるという問題もある。すなわち、巻き下がり防止用の該部材８には、両面粘着テープによってその片側全面が該ストッキングベルト４の片側に取り付けられているという問題があるので、該ストッキングベルト４が伸縮されると、巻き下がり防止用の該部材８は該ストッキングベルト４の伸縮強度を低下させる。
【００１０】
加えて、上記のように、該ストッキングには、着用後に該ストッキング脱いだ場合に該ストッキングベルト４による該ストッキングの着用跡が大腿部内側の肌に残されるという問題がある。
【発明の開示】
【発明が解決しようとする課題】
【００１１】
上記の問題あるいは他の問題を解決するため、本発明は、別設のベルト部分なしにレースのみからなる着用部分（口ゴム部）が形成されることにより着用跡が残ることがなく、 規則的な模様を有するシリコン部材が該着用部分（口ゴム部）の内側に取り付けられることにより、該ストッキング上部分が着用中に巻き下がったり滑り落ちることが防止されることを特徴とする、着用跡が付かないストッキングを提供する。
【課題を解決するための手段】
【００１２】
本発明の態様によれば、本発明は、糸とスパンデックスが一定の割合で混紡されているメッシュを具備し、 着用部分（口ゴム部）が別設のベルト部分なしに該メッシュ上部分に設けられ、着用後に着用跡を残さないために糸でできており、そして複数のメッシュ穴がレース状に形成されることを特徴とする、着用跡が付かないストッキングを提供する。
【００１３】
好ましくは、本発明は、その片側面が該着用部分下のメッシュ内側に取り付けられ、他側面が皮膚に張り付くことによって、該上部分が自重や伸縮のために滑り落ちることを防止するシリコン部材をさらに具備する、着用跡が付かないストッキングを提供する。
【００１４】
より望ましくは、本発明は、該シリコン部材が所定空間により分離されているか、または螺旋形のような規則的な模様を有するように形成されることによって着用後にストッキングを脱いだ際に美しい着用跡を残す着用部分（口ゴム部）下の該メッシュの内側に取り付けられることを特徴とする、着用跡が付かないストッキングを提供する。
【発明の効果】
【００１５】
上記のように、着用跡が付かないストッキングには、該ストッキング上部分に形成された着用部分（口ゴム部）がレース状に形成されており、スパンデックスが該レースに混紡されているかいないかに拘わらず、着用後に該ストッキングを脱いだ際に着用跡が残ることがないという利点がある。 さらに、着用跡が付かないストッキングには、規則的な模様を有するシリコン部材が該着用部分（口ゴム部）の内側に取り付けられることにより着用後に着用跡が残ることがなく、強力な摩擦力によって該上部分が滑り落ちることが防止されるという利点もある。
【発明を実施するための最良の形態】
【００１６】
図２は、本発明の実施形態に係る着用跡が付かないストッキングの構造を示す斜視図である。
【００１７】
図２を参照すると、一般ストッキングと同じように、本発明に係る着用跡が付かないストッキング２’は、その上部分からつま先部分までを覆うメッシュ２０と、着用跡を残さないために該メッシュ２０の上部分に形成される着用部分（口ゴム部）２２とを具備する。 したがって、該着用部分（口ゴム部）２２は、スパンデックスレースで形成され、それによって該ストッキング２’を着用後に脱いだ場合の着用跡が最小化される。
【００１８】
この点で、該着用部分（口ゴム部）２２はレース状に形成されており、該レースを製造する場合、該スパンデックス（図示せず）が織り込まれてレース製造用の糸と混紡される。 また、その形状は高い弾性で伸縮するように形成され、レース形態Ａが維持される。 その一方、本発明に係る着用部分（口ゴム部）２２はレース形態のみで織られ、スパンデックスなどのような材料が該レース内に含まれないという状態で形成される。かくして、スパンデックスなどの収縮によってユーザの脚肉内上に着用跡が残ることはまったく起こり得ない。
【００１９】
図３は、本発明の別の実施形態に係る着用跡が付かないストッキングの着用部分（口ゴム部）の構造を示す斜視図であり、図４はその平面図である。
【００２０】
図３及び図４を参照すると、本発明の実施形態に係る着用跡が付かないストッキング２’では、従来技術によるストッキングで着用部分（口ゴム部）２２の弾性強度が低いために発生するストッキング上部分の巻き下がりや滑り落ちるという問題防止用に、シリコン部材が該着用部分２２（口ゴム部）下の内側に取り付けられ、大腿部の肉に強く張り付いて強力な摩擦力を生じる。
【００２１】
該シリコン部材２４は、人体に対して無害な材料であり、ヒスイなどを内部に付加することによって遠赤外線放射することができる。また、該シリコン部材２４は、所定空間にて該着用部分２２（口ゴム部）下の内側に取り付けてもよい。本明細書中では、該着用部分（口ゴム部）２２はレース状に形成されているので、その上にレースメッシュ穴２３が形成されても、該シリコン部材２４は該レースメッシュ穴２３の下部分に取り付けられるため、取り付けに支障は生じない。
【００２２】
図５及び図６は、図３に示したシリコン部材の修正形態に使用可能である実施例を示す側断面図である。
【００２３】
図５及び図６を参照すると、該シリコン部材２４は、着用跡を残さないようにレース状に形成されている該着用部分（口ゴム部）２２の内側に所定の距離によって取り付けられていることによって、該レースメッシュ穴２３を介して十分な空気循環が保たれる。図６に示すように、該シリコン部材２４は、螺旋模様などの規則的な模様を有するように取り付けられることにより、着用後に美しい着用跡が微かに美しく残される。
【図面の簡単な説明】
【００２４】
【図１】滑り落ち防止用の従来技術によるストッキングの構造を示す斜視図。
【図２】本発明の実施形態に係る着用跡が付かないストッキングの構造を示す斜視図。
【図３】本発明の別の実施形態に係る着用跡が付かないストッキングの着用部分（口ゴム部）の構造を示す斜視図。
【図４】図３に示したストッキングの平面図。
【図５】図３に示したシリコン部材の修正形態に使用可能である実施例を示す側断面図。
【図６】図３に示したシリコン部材の修正形態に使用可能である実施例を示す側断面図。
【図１】
2007520640.tif 000003
【図２】
2007520640.tif 000004
【図３】
2007520640.tif 000005
【図４】
2007520640.tif 000006
【図５】
2007520640.tif 000007
【図６】
2007520640.tif 000008
【国際調査報告】
2007520640.tif 000009